(57)【要約】【課題】運転設定に関する操作性を一層向上させる。【解決手段】実施形態の衣類処理装置は、衣類に対する所定の処理を行うための運転を実行する衣類処理装置であって、運転に関する各種の情報および運転に関する各種の操作を受け付けるための操作キーが含まれた各種の画面を表示する表示部を有する操作表示器と、表示部への表示を制御するとともに、操作キーに対する操作に応じて所定の制御を行う制御部と、を備える。制御部は、表示部に、設定可能な運転の内容を表示するとともに運転を設定するための画面であり、且つ、設定された運転に対応したコースの少なくとも一部を表示するとともにコースを設定するための画面である設定画面を表示させる。【選択図】図３
2020065635.tif 000002
【特許請求の範囲】
【請求項１】
衣類に対する所定の処理を行うための運転を実行する衣類処理装置であって、
前記運転に関する各種の情報および前記運転に関する各種の操作を受け付けるための操作キーが含まれた各種の画面を表示する表示部を有する操作表示器と、
前記表示部への表示を制御するとともに、前記操作キーに対する操作に応じて所定の制御を行う制御部と、
を備え、
前記制御部は、
前記表示部に、設定可能な前記運転の内容を表示するとともに前記運転を設定するための画面であり、且つ、設定された前記運転に対応したコースの少なくとも一部を表示するとともに前記コースを設定するための画面である設定画面を表示させる衣類処理装置。
【請求項２】
前記制御部は、
所定の前記コースが設定されると、前記設定画面に表示された内容の少なくとも一部に代えて前記設定されたコースの行程内容に関する情報を表示させる請求項１に記載の衣類処理装置。
【請求項３】
前記制御部は、
前記コースの行程内容に関する情報を表示させた際、前記設定画面の表示内容を元に戻すための前記操作キーである戻るキーを表示させる請求項２に記載の衣類処理装置。
【請求項４】
前記制御部は、
前記設定画面に設定された前記コースの行程内容に関する情報を表示させるための前記操作キーである詳細確認キーを表示させる請求項１に記載の衣類処理装置。
【請求項５】
前記制御部は、前記コースの行程内容に関する情報を表示する際、全ての行程を表す行程表示を一方向に時系列に並ぶように表示させる請求項２から４のいずれか一項に記載の衣類処理装置。
【請求項６】
前記制御部は、前記設定画面に前記運転を開始するための前記操作キーであるスタートキーを表示させる請求項１から５のいずれか一項に記載の衣類処理装置。
【発明の詳細な説明】
【技術分野】
【０００１】
本発明の実施形態は、衣類処理装置に関する。
【背景技術】
【０００２】
例えば洗濯機などの衣類処理装置において、その運転設定に関する操作性を向上させるため、タッチパネル式の液晶操作パネルを設けた構成が提案されている。しかし、このような従来の構成では、各行程（洗濯、すすぎ、乾燥など）の詳細内容の設定を変更するため、行程ごとに専用の画面が用意されている。したがって、ユーザは、各行程の詳細内容の設定を変更する際には、画面の切り替えを行うための操作を頻繁に行わなければならない。このように、従来の構成では、運転設定に関する操作性が十分に高められておらず、この点において改善の余地があった。
【先行技術文献】
【特許文献】
【０００３】
【特許文献１】特許第５９３８８０６号公報
【発明の概要】
【発明が解決しようとする課題】
【０００４】
そこで、運転設定に関する操作性を一層向上させることができる衣類処理装置を提供する。
【課題を解決するための手段】
【０００５】
実施形態の衣類処理装置は、衣類に対する所定の処理を行うための運転を実行する衣類処理装置であって、前記運転に関する各種の情報および前記運転に関する各種の操作を受け付けるための操作キーが含まれた各種の画面を表示する表示部を有する操作表示器と、前記表示部への表示を制御するとともに、前記操作キーに対する操作に応じて所定の制御を行う制御部と、を備える。前記制御部は、前記表示部に、設定可能な前記運転の内容を表示するとともに前記運転を設定するための画面であり、且つ、設定された前記運転に対応したコースの少なくとも一部を表示するとともに前記コースを設定するための画面である設定画面を表示させる。
【図面の簡単な説明】
【０００６】
【図１】第１実施形態に係る洗濯機の構成を模式的に示す図
【図２】第１実施形態に係る洗濯機の電気的構成を示す図
【図３】第１実施形態に係るトップ画面の一例を示す図であり、洗濯乾燥運転および標準コースが選択された状態を示す図
【図４】第１実施形態に係る本体設定画面の一例を示す図
【図５】第１実施形態に係る洗濯乾燥運転の標準コースに対応するコース情報表示画面の一例を示す図
【図６】第１実施形態に係る洗濯乾燥運転の標準コースに対応するコース詳細設定画面の一例を示す図
【図７】第１実施形態に係る乾燥設定画面の一例を示す図
【図８】第１実施形態に係るふろ水設定画面の一例を示す図
【図９】第１実施形態に係る予約設定画面の一例を示す図
【図１０】第１実施形態に係る温水設定画面の一例を示す図
【図１１】第２実施形態に係る実施形態に係るトップ画面の一例を示す図であり、洗濯乾燥運転および標準コースが選択された状態を示す図
【図１２】第３実施形態に係る実施形態に係るトップ画面の一例を示す図であり、洗濯乾燥運転および標準コースが選択された状態を示す図
【図１３】第４実施形態に係る実施形態に係るトップ画面の一例を示す図であり、洗濯乾燥運転および標準コースが選択された状態を示す図
【発明を実施するための形態】
【０００７】
以下、衣類処理装置の複数の実施形態について図面を参照して説明する。なお、各実施形態において実質的に同一の構成には同一の符号を付して説明を省略する。
（第１実施形態）
図１に示すように、本実施形態の洗濯機１は、衣類に対して洗濯、すすぎ、脱水、乾燥などの処理を行うための運転を実行することができるものであり、衣類処理装置の一例である。具体的には、洗濯機１は、洗濯運転、乾燥運転および洗濯乾燥運転を実行することが可能となっている。
【０００８】
洗濯機１は、乾燥機能を備えたドラム式洗濯乾燥機であって、筐体２、扉３、図２に符号４を付して示す制御装置、操作パネル５などを備えている。この場合、筐体２に対して扉３側を洗濯機１の前側とし、扉３と反対側を洗濯機１の後側とする。また、前後方向に対する直角水平方向を左右方向とする。また、前後方向および左右方向に直交する方向を上下方向とする。
【０００９】
洗濯機１の本体を構成する筐体２は、前面が滑らかに傾斜した矩形の箱状に形成されている。筐体２の前面中央部分には、開口６が設けられている。開口６は、筐体２の内部に設けられた図示しない回転槽に連通されている。洗濯物は、この開口６を通して回転槽内に出し入れされる。
【００１０】
扉３は、開口６を開閉可能に設けられている。扉３は、図示しない扉ボタンが操作されることにより開放される。筐体２の上面には、給水口７が設けられている。給水口７は、図示しない給水ホースによって水源となる水道の蛇口に接続される。そして、水道の蛇口からの水は、給水ホースおよび給水口７を通って、筐体２内に設けられた図示しない水槽内へ供給される。
【００１１】
制御装置４は、例えばマイクロコンピュータを主体に構成されたものであり、ＲＯＭなどの記憶装置に記憶されているコンピュータプログラムを実行することにより洗濯機１の動作全般を制御する。制御装置４は、図２に示すように、モータ１１、排水弁１２、給水弁１３、圧縮機１４および送風機１５などに接続されている。それぞれ詳細な説明は省略するが、モータ１１は、筐体２内に設けられた図示しない回転槽を回転させるためのものである。
【００１２】
排水弁１２は、図示しない水槽内の水を機外へ排水するためのものである。給水弁１３は、給水口７と図示しない水槽内との連通を開閉し、水槽内へ給水を行うためのものである。圧縮機１４は、乾燥機能用のヒートポンプユニットを構成するものである。送風機１５は、ヒートポンプユニットにより生成された温風を図示しない回転槽内へ供給するためのものである。
【００１３】
また、制御装置４は、温度センサ１６、水位センサ１７、回転センサ１８、扉スイッチ１９などの入力機器および操作パネル５に接続されている。それぞれ詳細な説明は省略するが、温度センサ１６は、図示しない水槽内の温度を検出するものである。水位センサ１７は、水槽内の水位を検出するものである。回転センサ１８は、図示しない回転槽の回転位置および回転速度を検出するものである。扉スイッチ１９は、扉３の開閉を検出するものである。
【００１４】
図１に示すように、操作パネル５は、筐体２の上面前側に設けられている。操作パネル５は、例えば液晶ディスプレイからなる矩形状の表示部２０を備えている。この場合、洗濯機１の前後方向に沿う方向を表示部２０の上下方向とし、洗濯機１の左右方向に沿う方向を表示部２０の左右方向とする。
【００１５】
表示部２０には、洗濯機１の運転に関する各種の情報が含まれた各種の画面が表示される。表示部２０の表示面は、ユーザによるタッチ操作が可能なタッチパネルとしても機能する。表示部２０には、洗濯機１の運転に関する各種の操作を受け付けるための操作キーが含まれた各種の画面が表示される。ユーザは、上記操作キーをタッチ操作することにより、洗濯機１の運転に関する各種の操作を行うことができる。
【００１６】
このように、操作パネル５は、運転に関する各種の情報および運転に関する各種の操作を受け付けるための操作キーが含まれた各種の画面を表示するためのものであり、操作表示器に相当する。本実施形態では、表示部２０のタッチパネルとしては、手指で触れた際に発生する静電容量の変化をセンサで感知する静電容量方式のタッチパネルが採用されている。なお、表示部２０のタッチパネルとしては、例えば抵抗膜方式など、各種の方式を採用することができる。また、表示部２０は、液晶ディスプレイに限らずともよく、例えば有機ＥＬディスプレイなど、各種の表示装置を採用することができる。
【００１７】
制御装置４は、表示制御用のプログラムを実行することにより、操作パネル５の表示部２０への表示を制御する。また、制御装置４は、表示部２０に表示された上記操作キーに対する操作に応じて、運転の種類の選択、コースの選択、コースの内容の設定、運転の開始や一時停止など、様々な制御を実行する。このように、制御装置４は、表示部２０への表示を制御するとともに、上記操作キーに対する操作に応じて所定の制御を行うものであり、制御部に相当する。
【００１８】
次に、上記構成における表示部２０への表示に関する制御の内容について説明する。
［１］トップ画面について
ユーザにより図示しない電源スイッチが操作されると、洗濯機１への電源が投入される。そして、電源投入後、表示部２０には、図３に示すようなトップ画面が表示される。なお、以下では、表示部２０のことを画面とも呼ぶこととする。
【００１９】
このトップ画面は、電源投入後、最初の入力操作が行われる前の表示画面であり、設定画面に相当する。詳細は後述するが、トップ画面は、設定可能な運転の内容を表示するとともに、運転を設定するための画面となっている。また、トップ画面は、設定された運転に対応したコースの少なくとも一部を表示するとともにコースを設定するための画面となっている。
【００２０】
トップ画面および後述する各種の画面において、画面の下端部は、共通のフッター部２１となっている。フッター部２１には、洗濯運転アイコン２２、洗濯乾燥運転アイコン２３、乾燥運転アイコン２４、その他設定キー２５およびスタートキー２６が、画面の左からこの順で画面の横方向に一列に並ぶように配置されている。洗濯運転アイコン２２は、洗濯運転を選択するための操作キーとして機能する。洗濯乾燥運転アイコン２３は、洗濯乾燥運転を選択するための操作キーとして機能する。乾燥運転アイコン２４は、乾燥運転を選択するための操作キーとして機能する。
【００２１】
この場合、洗濯運転アイコン２２、洗濯乾燥運転アイコン２３および乾燥運転アイコン２４は、画面の左から、この順に並ぶように配置されているが、これら３つのアイコンの並び順は適宜入れ替え可能である。また、運転の選択状態に応じて３つのアイコンの並び順が変更されるようにしてもよい。例えば、その時点で選択されている操作キーが常に中央に配置されるように、各アイコンの配置を随時変更するようにしてもよい。
【００２２】
洗濯運転アイコン２２、洗濯乾燥運転アイコン２３および乾燥運転アイコン２４は、運転の種類ごとに対応して設けられた複数の運転種類アイコンであり、これら複数の運転種類アイコンのいずれかに対する操作が行われることにより、その操作が行われた運転種類アイコンに対応する運転が選択されて設定される、つまり運転の種類が決定されることになる。
【００２３】
具体的には、洗濯運転アイコン２２に対する操作が行われると洗濯運転が選択され、洗濯乾燥運転アイコン２３に対する操作が行われると洗濯乾燥運転が選択され、乾燥運転アイコン２４に対する操作が行われると乾燥運転が選択される。なお、このような運転の種類の選択および決定は、運転が開始されるまでの期間には何度でも行うことができる。
【００２４】
制御装置４は、所定の運転種類アイコンに対する操作が行われると、その操作された運転種類アイコンの表示態様を、操作されていない運転種類アイコンの表示態様とは異なる表示態様へと変化させる。異なる表示態様としては、例えば、アイコンの背景色を変化させること、アイコン内の文字などを強調表示させること、アイコンの外枠を強調表示させること、などが挙げられる。これにより、ユーザは、その時点において選択されている運転の種類を容易に認識することができる。
【００２５】
図３に示すように、本実施形態では、操作が行われていない運転種類アイコンである洗濯運転アイコン２２および乾燥運転アイコン２４は、背景色が淡色であるとともに、運転種類を表す文字（洗濯、乾燥）が薄いグレーで表示されているのに対し、操作が行われた運転種類アイコンである洗濯乾燥運転アイコン２３は、背景色が濃色であるとともに、運転種類を表す文字（洗乾）が黒色で表示されている。
【００２６】
その他設定キー２５は、洗濯機１に関わる各種の設定を行うための操作キーである。その他設定キー２５に対する操作が行われると、図４に示すような本体設定画面へと遷移する。本体設定画面では、液晶ディスプレイの輝度を設定するための「表示の明るさ設定」、洗濯機１の時計時刻を設定するための「時刻設定」、強制的にドアロックするための「チャイルドロック」などを実行することができる。
【００２７】
スタートキー２６は、運転を開始するための操作キーであり、画面の端部、より具体的には画面の右下の端に表示されている。制御装置４は、スタートキー２６を表示する際、常に同じ位置に表示させるようになっている。なお、制御装置４は、少なくとも、トップ画面、後述するコース情報表示画面およびコース詳細設定画面において、スタートキー２６を共通の位置に表示させるようになっていればよい。
【００２８】
トップ画面および後述する各種の画面において、画面の上端部は、共通のヘッダー部２７となっている。ヘッダー部２７において、画面左側はステータス表示領域２８となっている。ステータス表示領域２８には、時刻、外部の機器との間で行われる無線通信に関する電波状態、自動おそうじの設定有無、カビプロテクトの設定有無など、各種のステータスが常時固定表示される。ヘッダー部２７において、画面右側は操作キー表示領域２９となっている。
【００２９】
操作キー表示領域２９には、予約設定キー３０、温水設定キー３１および照明オンオフキー３２が、左からこの順で画面の横方向に一列に並ぶように配置されている。制御装置４は、これら３つの操作キー、つまり予約設定キー３０、温水設定キー３１および照明オンオフキー３２を表示する際、常に同じ位置に表示させるようになっている。なお、これら３つの操作キーに関する詳細は、後述する。
【００３０】
トップ画面において、画面中央部は、その時点において選択（設定）されている運転に対応した全てのコースのそれぞれに対応したコースアイコン３３が表示されるコース一覧表示領域３４となっている。この場合、５つのコースアイコン３３が画面の横方向に並ぶように表示されるとともに、それらの下側に別の５つのコースアイコン３３が画面の横方向に並ぶように表示されている。
【００３１】
図３に示すコース一覧表示領域３４には、洗濯乾燥運転に対応した「スピードコース」、「おやすみコース」、「標準コース」、「つけおきコース」、「少量６０分コース」、「念入りコース」、「メモリーコース」、「毛布コース」、「おしゃれ着コース」および「とっても柔らかコース」のそれぞれに対応するコースアイコン３３が表示されている。各コースアイコン３３は、それぞれのコースを連想させ得る表示態様となっている。例えば、標準コースのコースアイコン３３は、洗濯物の一例であるＴシャツを模式的に表す表示態様となっている。また、おやすみコースのコースアイコン３３は、夜を連想させる月および星を表す表示態様となっている。
【００３２】
制御装置４は、所定のコースアイコン３３に対する操作が行われると、その操作されたコースアイコン３３に対応したコースを選択して設定するとともに、その操作されたコースアイコン３３の表示態様を、操作されていないコースアイコン３３の表示態様とは異なる表示態様へと変化させる。異なる表示態様としては、例えば、アイコンの背景色を変化させること、アイコン内の図形および文字の少なくとも一方を拡大させること、アイコンの外枠を強調表示させること、などが挙げられる。これにより、ユーザは、その時点において選択されているコースがどのコースであるのかを容易に認識することができる。
【００３３】
図３に示すように、本実施形態では、操作が行われた標準コースに対応するコースアイコン３３は、その外枠が他のコースアイコン３３の外枠に比べて太い線で表示されるとともに、その背景色が他のコースアイコンの背景色に比べて濃い色で表示される。また、この場合、操作が行われた標準コースに対応するコースアイコン３３内の図形および文字が、他のコースアイコン３３内の図形および文字に比べて大きくなるように拡大表示される。
【００３４】
前述したように、制御装置４は、所定のコースアイコン３３に対する操作が１度行われる（１回タッチ操作される）ことにより、その所定のコースアイコン３３に対応したコースを選択して設定する。そして、制御装置４は、このように１度操作が行われた所定のコースアイコン３３に対する操作が再び行われることにより、つまり２度以上連続して所定のコースアイコン３３に対する操作が行われる（２回以上連続してタッチ操作される）ことにより、そのコースアイコン３３に対応するコースの行程内容に関する情報を表示させる。
【００３５】
この場合、制御装置４は、所定のコースが設定されると、つまり所定のコースアイコン３３に対して２回以上連続してタッチ操作がされると、トップ画面に代えて、そのコースアイコン３３に対応するコースの行程内容に関する情報が表示されるコース情報表示画面を表示させる。したがって、図３に示すように、標準コースに対応するコースアイコン３３に対する操作が１度行われている状態で、さらに標準コースに対応するコースアイコン３３に対する操作が行われると、標準コースの行程内容に関する情報が表示される、つまり図５に示すようなコース情報表示画面へと遷移する。コース情報表示画面の詳細については後述する。
【００３６】
この場合、運転の種類ごとに互いに異なる色が対応付けられている。例えば、洗濯運転には青色が対応付けられ、洗濯乾燥運転には緑色が対応付けられ、乾燥運転には橙色が対応付けられている。これら対応付ける色は、例えば洗濯運転は水を連想させる青系統の色（例えば青色、水色）とし、例えば乾燥運転は温風を連想させる赤系統の色（例えば橙色、赤色）とする、といった具合に、各運転のイメージに合致するような色に設定するとよい。
【００３７】
制御装置４は、所定の運転種類アイコンに対する操作が行われて、その操作された運転種類アイコンに対応した運転が選択されると、その時点で表示されている画面上（この場合、トップ画面）および以降に表示される画面（例えばコース情報表示画面など）上の任意の領域について、その選択された運転に対応付けられた色と同系色の背景表示とするようになっている。
【００３８】
制御装置４は、運転が実行されてから洗濯機１への電源が再投入された後に表示させるトップ画面では、その実行された運転（前回の運転）に対応した運転種類アイコンが選択された状態とする。ただし、制御装置４は、前回の運転が乾燥運転であった場合、このような制御を実施しなくともよい。なぜなら、乾燥運転は、洗濯運転および洗濯乾燥運転に比べ、その使用頻度が低いからである。
【００３９】
また、制御装置４は、運転が実行されてから洗濯機１への電源が再投入された後に表示させるトップ画面では、洗濯運転、洗濯乾燥運転および乾燥運転のそれぞれについて、前回の運転におけるコースが選択されている状態とする。例えば、前回実施された洗濯運転がメモリーコースであり、前回実施された洗濯乾燥運転が標準コースである場合には、制御装置４は、次のような制御を行う。
【００４０】
すなわち、この場合、制御装置４は、電源再投入後のトップ画面において、洗濯運転アイコン２２が選択された状態になると、コース一覧表示領域３４に表示される各コースアイコン３３の表示態様を、メモリーコースに対応したコースアイコン３３が選択された表示態様とする。また、この場合、制御装置４は、電源再投入後のトップ画面において、洗濯乾燥運転アイコン２３が選択された状態になると、コース一覧表示領域３４に表示される各コースアイコン３３の表示態様を、標準コースに対応したコースアイコン３３が選択された表示態様とする。
【００４１】
ただし、制御装置４は、前回の運転のコースが標準コースおよびメモリーコース以外のコースであった場合、このような制御を実施しなくともよい。なぜなら、標準コースおよびメモリーコース以外のコースは、標準コースおよびメモリーコースに比べて、その使用頻度が低いからである。例えば、制御装置４は、前回の運転のコースが標準コースおよびメモリーコース以外のコースであった場合、コース一覧表示領域３４に表示される各コースアイコン３３の表示態様を、標準コースに対応したコースアイコン３３が選択された表示態様としてもよい。
【００４２】
なお、このような前回実施された運転の種類、コースなどは、制御装置４を構成するマイクロコンピュータ内に設けられた不揮発性メモリに記憶させておけばよい。また、マイクロコンピュータの外部にＥＥＰＲＯＭなどの不揮発性メモリが設けられた構成であれば、その外部のＥＥＰＲＯＭに運転の種類、コースなどを記憶させてもよい。この場合、マイクロコンピュータは、各種のシリアル通信を介してＥＥＰＲＯＭに対し、運転の種類、コースなどのデータの書き込み、読み出しを行えばよい。
【００４３】
［２］コース情報表示画面について
前述したように、トップ画面において、所定のコースアイコン３３に対する操作が２度行われた場合、その時点において選択されているコースの行程内容などに関する情報を表示するコース情報表示画面へと遷移する。なお、ここでは、洗濯乾燥運転の標準コースに対応するコース情報表示画面を例示して説明するが、他のコース情報表示画面についても同様の内容となっている。
【００４４】
図５に示すように、コース情報表示画面では、トップ画面と同様のヘッダー部２７およびフッター部２１が設けられている。したがって、コース情報表示画面上にも、各運転種類アイコン、スタートキー２６を初めとする各種の操作キーなどが表示されている。コース情報表示画面において、画面中央部の上側には、コースの名称およびコースの概略的な内容を表示するための概要表示領域３５が設けられている。
【００４５】
具体的には、図５に示す洗濯乾燥運転の標準コースに対応するコース情報表示画面における概要表示領域３５には、コースの名称である「標準コース」という表示に加え、その標準コースの概要を表す文字「普段の洗濯物におすすめです。」が表示されている。これにより、ユーザは、現在選択されているコースの種類およびそのコース概要を容易に把握することができる。
【００４６】
コース情報表示画面において、画面中央部の下側には、コースの行程内容を表示するための行程表示領域３６が設けられている。行程表示領域３６には、全ての行程を表す行程表示が、画面の横方向に時系列に並ぶように表示される。具体的には、図５に示す洗濯乾燥運転の標準コースに対応したコース情報表示画面における行程表示領域３６には、洗い行程を表す行程表示である洗いアイコン３７、すすぎ行程を表す行程表示であるすすぎアイコン３８、脱水行程を表す行程表示である脱水アイコン３９および乾燥行程を表す行程表示である乾燥アイコン４０が、左からこの順で、つまり時系列に並ぶように配置されている。
【００４７】
この場合、洗いアイコン３７には、その行程の条件を表す行程条件表示「１４分」が表示され、すすぎアイコン３８には、その行程の条件を表す行程条件表示「２回」が表示され、脱水アイコン３９には、その行程の条件を表す行程条件表示「自動」が表示され、乾燥アイコン４０には、その行程の条件を表す行程条件表示「省エネ」が表示される。また、図５に示すように、行程表示領域３６には、ふろ水の設定状況を表すための表示であるふろ水アイコン４１も表示されている。
【００４８】
上述した各行程表示（洗いアイコン３７、すすぎアイコン３８、脱水アイコン３９および乾燥アイコン４０）には、それぞれ異なる色が対応付けられている。具体的には、洗いアイコン３７には濃い青色が対応付けられ、すすぎアイコン３８には薄い青色が対応付けられ、脱水アイコン３９には水色が対応付けられ、乾燥アイコン４０には橙色が対応付けられている。制御装置４は、洗いアイコン３７、すすぎアイコン３８、脱水アイコン３９および乾燥アイコン４０について、それぞれに対応付けられた色で表示させるようになっている。
【００４９】
コース情報表示画面において、画面中央部の上部左端には、戻るキー４２が表示されている。戻るキー４２は、コースの行程内容に関する情報を表示させた際、トップ画面の表示内容を元に戻すための操作キー、つまりコース情報表示画面を閉じてトップ画面へと戻るための操作キーである。したがって、戻るキー４２に対する操作が行われると、コース情報表示画面からトップ画面へと遷移する。また、コース情報表示画面において、画面中央部の上部右端には、設定変更キー４３が表示されている。設定変更キー４３は、コースの詳細内容を設定するためのコース詳細設定画面へと遷移させるための操作キーである。
【００５０】
この場合、設定変更キー４３が操作されると、その時点において選択されているコースの内容を設定するためのコース詳細設定画面へと遷移するようになっている。具体的には、図５に示すように、洗濯乾燥運転の標準コースに対応するコース情報表示画面において設定変更キー４３に対する操作が行われると、洗濯乾燥運転の標準コースに対応したコース詳細設定画面（図６参照）へと遷移する。なお、制御装置４は、行程表示領域３６の一部または全部を、コース詳細設定画面へと遷移させるための操作キー、つまり設定変更キー４３と同等の操作キーとして機能させることもできる。行程表示領域３６を設定変更キー４３と同等の操作キーとして機能させる場合、設定変更キー４３を設けてもよいし、省いてもよい。
【００５１】
［３］コース詳細設定画面について
前述したように、コース情報表示画面において、設定変更キー４３または行程表示領域３６に対する操作が行われた場合、コース詳細設定画面へと遷移する。なお、ここでは、洗濯乾燥運転の標準コースに対応するコース詳細設定画面を例示して説明するが、他のコース詳細設定画面についても同様の内容となっている。
【００５２】
図６に示すように、コース詳細設定画面では、トップ画面およびコース情報表示画面と同様のヘッダー部２７およびフッター部２１が設けられている。したがって、コース詳細設定画面上にも、各運転種類アイコン、スタートキー２６を初めとする各種の操作キーなどが表示されている。コース詳細設定画面は、ユーザが、選択しているコースの詳細な内容を確認するとともに、その内容を設定（変更）することができるような表示となっている。具体的には、コース詳細設定画面において、画面中央部には、コースの詳細な内容およびコースの設定を行うための各種の操作キーが表示される領域４４が設けられている。
【００５３】
制御装置４は、領域４４に、コースの名称、全ての行程を表す行程表示、各行程の条件を表す行程条件表示、各行程の条件を変更するための操作キーである行程条件変更キーなどを表示させる。具体的には、図６に示すコース詳細設定画面における領域４４において、画面上部の右端には、戻るキー４５が表示されている。戻るキー４５は、コース詳細設定画面を閉じて一つ前の画面、つまりコース情報表示画面に戻るための操作キーである。したがって、戻るキー４５に対する操作が行われると、コース詳細設定画面からコース情報表示画面へと遷移する。
【００５４】
図６に示すコース詳細画面における領域４４には、洗い行程を表す行程表示である洗いアイコン４６、すすぎ行程を表す行程表示であるすすぎアイコン４７、脱水行程を表す行程表示である脱水アイコン４８および乾燥行程を表す行程表示である乾燥アイコン４９が、画面の左からこの順に横方向に並ぶように、つまり時系列に並ぶように配置されている。上述した各行程表示（洗いアイコン４６、すすぎアイコン４７、脱水アイコン４８および乾燥アイコン４９）には、コース情報表示画面における各行程表示と同様、それぞれ異なる色が対応付けられている。制御装置４は、洗いアイコン４６、すすぎアイコン４７、脱水アイコン４８および乾燥アイコン４９について、それぞれに対応付けられた色で表示させるようになっている。
【００５５】
図６に示すコース詳細設定画面における領域４４において、洗いアイコン４６の下方には洗い行程の条件を表す行程条件表示「自動（１４分）」が表示され、すすぎアイコン４７の下方にはすすぎ行程の条件を表す行程条件表示「自動（２回）」が表示され、脱水アイコン４８の下方には脱水行程の条件を表す行程条件表示「自動」が表示され、乾燥アイコン４９の下方には乾燥行程の条件を表す行程条件表示「省エネ」が表示される。このように、制御装置４は、行程表示を画面の横方向に時系列に並ぶように表示させるとともに、行程条件表示を行程表示に対して並設するように表示させる。
【００５６】
洗いアイコン４６の下方において、行程条件表示を挟んで上下に、行程条件変更キーに相当する加算キー５０および減算キー５１が配置されている。行程条件表示の上側に位置する加算キー５０は、洗い時間を増やすための操作キーであり、加算キー５０が１回操作される毎に洗い時間が１分増加するようになっている。また、行程条件表示の下側に位置する減算キー５１は、洗い時間を減らすための操作キーであり、減算キー５１が１回操作される毎に、洗い時間が１分減少するようになっている。コース詳細設定画面において、ユーザは、加算キー５０および減算キー５１を操作することにより、洗い行程における洗い時間を所望する時間に設定（変更）することができる。
【００５７】
すすぎアイコン４７の下方において、行程条件表示を挟んで上下に、行程条件変更キーに相当する加算キー５２および減算キー５３が配置されている。行程条件表示の上側に位置する加算キー５２は、すすぎ回数を増やすための操作キーであり、加算キー５２が１回操作される毎に、すすぎ回数が１回増加するようになっている。また、行程条件表示の下側に位置する減算キー５３は、すすぎ回数を減らすための操作キーであり、減算キー５３が１回操作される毎に、すすぎ回数が１回減少するようになっている。コース詳細画面において、ユーザは、加算キー５２および減算キー５３を操作することにより、すすぎ行程におけるすすぎ回数を所望する回数に設定（変更）することができる。
【００５８】
脱水アイコン４８の下方には、行程条件変更キーに相当する加算キーおよび減算キーは配置されていない。これは、洗濯乾燥運転における脱水時間のユーザによる変更を不可とする洗濯機１の仕様に起因している。したがって、図６に示すコース詳細設定画面において、ユーザは、脱水行程における脱水時間を設定（変更）することはできない。乾燥アイコン４９の下方に表示される行程条件表示５６は、乾燥行程の条件を設定（変更）するための操作キー（行程条件変更キー）としても機能する。この場合、行程条件表示５６に対する操作が行われると、乾燥行程の条件を設定するための乾燥設定画面が表示されるようになっている。なお、乾燥設定画面の内容については後述する。
【００５９】
制御装置４は、領域４４に、各行程についての実施の有無を設定するための操作キーである行程オンオフキーを表示させるようになっている。具体的には、図６に示すコース詳細設定画面における領域４４では、減算キー５１、５３の下方には、それぞれ行程オンオフキー５７、５８が配置されている。行程オンオフキー５７、５８は、それぞれ洗い行程、すすぎ行程の実施の有無を設定するための操作キーである。ユーザは、行程オンオフキー５７を操作することにより、洗い行程を実施する設定と実施しない設定とを切り替えることができる。ユーザは、行程オンオフキー５８を操作することにより、すすぎ行程を実施する設定と実施しない設定とを切り替えることができる。
【００６０】
行程オンオフキー５７、５８の操作により、対応する行程を実施する設定となっている場合、行程オンオフキー５７、５８は、行程を実施する旨を表すような表示態様となる。例えば、行程オンオフキー５７の操作により洗い行程を実施する設定となっている場合、図６に示すように、行程オンオフキー５７上に、対応する行程を実施する旨を表す「ＯＮ」が表示される。行程オンオフキー５７、５８の操作により、対応する行程を実施しない設定となっている場合、行程オンオフキー５７、５８は、行程を実施しない旨を表すような表示態様となる。例えば、行程オンオフキー５７の操作により洗い行程を実施しない設定となっている場合、図示は省略するが、行程オンオフキー５７上に、対応する行程を実施しない旨を表す「ＯＦＦ」が表示される。
【００６１】
また、このとき、洗い行程の条件を表す行程条件表示と、加算キー５０および減算キー５１とが、薄いグレーで表示された、いわゆるグレーアウトの状態となり、洗い行程の条件に関する設定の変更を受け付けない状態となる。つまり、制御装置４は、行程オンオフキー５７、５８が操作されることにより、それに対応する行程の実施が無しに設定されると、その行程の条件を変更するための行程条件変更キーによる操作の受付を無効化するようになっている。
【００６２】
また、制御装置４は、行程条件変更キーが操作されることにより、その行程条件変更キーに対応する行程の条件が変更された後、行程オンオフキーが操作されることにより、行程の実施が無しに設定されると、行程条件変更キーの操作に応じて設定された行程の条件を初期化するようになっている。
【００６３】
例えば、加算キー５０および減算キー５１の一方または双方が操作されることにより、洗い行程における洗い時間が初期設定である「自動（１４分）」から「５分」へと変更されたとする。この状態から、行程オンオフキー５７が操作されることにより洗い行程を実施しない設定とされると、洗い行程における洗い時間は初期設定である「自動（１４分）」へと自動的に変更される、つまり初期化される。したがって、この後、再び行程オンオフキー５７が操作されることにより、洗い行程を実施する設定とされると、洗い行程の条件を表す行程条件表示には、初期設定である「自動（１４分）」が表示される。
【００６４】
領域４４の中央部右端には、給水手法としてのふろ水の設定を変更するための操作キーであるふろ水設定キー６０が配置されている。ふろ水設定キー６０には、その時点におけるふろ水の設定状況（図６では「なし」）が表示される。この場合、ふろ水設定キー６０に対する操作が行われると、ふろ水に関する設定を行うためのふろ水設定画面が表示されるようになっている。なお、ふろ水設定画面の内容については後述する。
【００６５】
領域４４において、戻るキー４５の左側には、設定クリアキー６１が配置されている。設定クリアキー６１は、全ての行程の条件を初期化するための操作キーである。ただし、設定クリアキー６１は、各行程の条件がいずれも変更されておらず全て初期設定のままである場合、図６に示すように、グレーアウトの状態となり、制御装置４が、その操作を受け付けない状態となる。設定クリアキー６１は、各行程の条件の少なくとも１つが変更されている場合、図示は省略するが、通常の表示状態となり、制御装置４が、その操作を受け付ける状態となる。したがって、この状態において、設定クリアキー６１に対する操作が行われると、全ての行程の条件が初期設定へと自動的に変更される、つまり初期化される。
【００６６】
［４］乾燥設定画面について
前述したように、コース詳細設定画面において、行程条件表示５６に対する操作が行われた場合、乾燥設定画面が表示される。例えば、図６に示すコース詳細設定画面において、行程条件表示５６に対する操作が行われると、図７に示すように、コース詳細設定画面上に重なる形で乾燥設定画面が表示される。乾燥設定画面の大きさは、コース詳細設定画面よりも小さくなっており、コース詳細設定画面の一部は表示されている。なお、この場合、コース詳細設定画面に表示されているスタートキー２６の少なくとも一部は、乾燥設定画面により覆われている。
【００６７】
ただし、この場合、コース詳細設定画面は、影がかけられた状態、つまりグレーアウトの状態となり、スタートキー２６を含む全ての操作キーに対する操作を受け付けない状態となる。つまり、制御装置４は、スタートキー２６が表示されている画面であるコース詳細設定画面上に別の画面である乾燥設定画面を重ねて表示させる際、スタートキー２６による操作の受付を無効化するようになっている。
【００６８】
乾燥設定画面には、複数の乾燥仕上がり設定（この場合、省エネ、お急ぎ、上質乾燥、念入り、タイマ３０分）のそれぞれに対応するアイコン６２が配置されている。ユーザは、これらのアイコン６２のうち、所望する設定に対応するアイコンを操作することにより、乾燥行程の条件を所望するものに設定することができる。
【００６９】
なお、タイマ３０分に対応するアイコン６２を挟んで上下には、乾燥時間を増減するための２つの操作キーが配置されている。ユーザは、これらの操作キーを操作することにより、乾燥仕上がり設定をタイマ３０分にする場合における乾燥時間を所望する時間に設定することができる。
【００７０】
乾燥設定画面には、乾燥仕上がり設定に関する情報が表示される設定情報表示領域６３が設けられている。制御装置４は、所定のアイコン６２に対する操作が行われると、その操作されたアイコン６２を強調表示するとともに、その操作されたアイコン６２に対応する乾燥仕上がり設定に関する情報を設定情報表示領域６３に表示させるようになっている。
【００７１】
具体的には、「省エネ」に対応するアイコン６２に対する操作が行われると、図７に示すように、「省エネ」に対応するアイコン６２の外枠が、他のアイコン６２の外枠に比べ、太い線で表示される。また、このとき、設定情報表示領域６３には、乾燥仕上がり設定「省エネ」についての概略的な内容が表示される。これにより、ユーザは、現在選択されている乾燥仕上がり設定を容易に認識することができるとともに、その設定の概要を把握することができる。
【００７２】
乾燥設定画面の下部左側には閉じるキー６４が配置され、下部右側には決定キー６５が配置されている。閉じるキー６４は、乾燥設定画面での設定変更の操作を反映せずに、乾燥設定画面を閉じるための操作キーである。決定キー６５は、乾燥設定画面での設定変更の操作を反映したうえで、乾燥設定画面を閉じるための操作キーである。
【００７３】
［５］ふろ水設定画面について
前述したように、コース詳細画面において、ふろ水設定キー６０に対する操作が行われた場合、ふろ水設定画面が表示される。例えば、図６に示すコース詳細設定画面において、ふろ水設定キー６０に対する操作が行われると、図８に示すように、コース詳細設定画面上に重なる形でふろ水設定画面が表示される。ふろ水設定画面の大きさは、コース詳細設定画面よりも小さくなっており、コース詳細設定画面の一部は表示されている。なお、この場合、コース詳細設定画面に表示されているスタートキー２６の少なくとも一部は、ふろ水設定画面により覆われている。
【００７４】
ただし、この場合、コース詳細設定画面は、影がかけられた状態、つまりグレーアウトの状態となり、スタートキー２６を含む全ての操作キーに対する操作を受け付けない状態となる。つまり、制御装置４は、スタートキー２６が表示されている画面であるコース詳細設定画面上に別の画面であるふろ水設定画面を重ねて表示させる際、スタートキー２６による操作の受付を無効化するようになっている。
【００７５】
ふろ水設定画面には、複数のふろ水設定（この場合、なし、洗い、洗いとすすぎ１、すすぎ１）のそれぞれに対応するアイコン６７が配置されている。ユーザは、これらのアイコン６７のうち、所望する設定に対応するアイコンを操作することにより、ふろ水設定を所望するものに設定することができる。
【００７６】
ふろ水設定画面には、ふろ水設定に関する情報が表示される設定情報表示領域６８が設けられている。制御装置４は、所定のアイコン６７に対する操作が行われると、その操作されたアイコン６７を強調表示するとともに、その操作されたアイコン６７に対応するふろ水設定に関する情報を設定情報表示領域６８に表示させるようになっている。
【００７７】
具体的には、「なし」に対応するアイコン６７に対する操作が行われると、図８に示すように、「なし」に対応するアイコン６７の外枠が、他のアイコン６７の外枠に比べ、太い線で表示される。また、このとき、設定情報表示領域６８には、ふろ水設定「なし」についての概略的な内容が表示される。これにより、ユーザは、現在選択されているふろ水設定を容易に認識することができるとともに、その設定の概要を把握することができる。
【００７８】
ふろ水設定画面の下部左側には閉じるキー６９が配置され、下部右側には決定キー７０が配置されている。閉じるキー６９は、ふろ水設定画面での設定変更の操作を反映せずに、ふろ水設定画面を閉じるための操作キーである。決定キー７０は、ふろ水設定画面での設定変更の操作を反映したうえで、ふろ水設定画面を閉じるための操作キーである。
【００７９】
［６］ヘッダー部の３つの操作キーについて
前述した通り、トップ画面、コース情報表示画面およびコース詳細設定画面には、同様のヘッダー部２７が設けられており、そのヘッダー部２７の操作キー表示領域２９には、３つの操作キー（予約設定キー３０、温水設定キー３１および照明オンオフキー３２）が配置されている。つまり、これら３つの操作キーは、運転が開始される前の各種の表示画面において、常に固定表示されている。なお、これら３つの操作キーは、洗濯機１の運転に関する設定を行うための操作キーであり、使用頻度が比較的高い操作キーである。
【００８０】
予約設定キー３０は、運転の予約に関する設定を行うための操作キーである。予約設定キー３０に対する操作が行われると、図９に示すような予約設定画面が表示される。予約設定画面の大きさは、トップ画面、コース情報表示画面およびコース詳細設定画面よりも小さくなっている。ただし、この場合、トップ画面、コース情報表示画面およびコース詳細設定画面のほぼ全域が予約設定画面により覆われている。
【００８１】
予約設定画面には、複数の予約設定（この場合、なし、おはよう予約、おかえり予約、外から予約）のそれぞれに対応するアイコン７１が配置されている。ユーザは、これらのアイコン７１のうち、所望する設定に対応するアイコンを操作することにより、予約設定を所望するものに設定することができる。
【００８２】
また、予約設定画面には、運転の終了時刻を設定するための４つの操作キー７２〜７５が設けられるとともに、設定した終了時刻を表示する時刻表示領域７６が設けられている。さらに、予約設定画面には、現在選択されている運転およびコースについて、現時点において設定可能な終了時刻を表す設定可能時間表示領域７７が設けられている。ユーザは、時刻表示領域７６に表示される時刻および設定可能時間表示領域７７に表示される設定可能な終了時刻を確認しながら、４つの操作キー７２〜７５を操作することにより、運転の終了時刻を所望する時刻に設定することができる。
【００８３】
予約設定画面には、予約設定に関する情報が表示される設定情報表示領域７８が設けられている。制御装置４は、所定のアイコン７１に対する操作が行われると、その操作されたアイコン７１を強調表示するとともに、その操作されたアイコン７１に対応する予約設定に関する情報を設定情報表示領域７８に表示させるようになっている。
【００８４】
具体的には、「おはよう予約」に対応するアイコン７１に対する操作が行われると、図９に示すように、「おはよう予約」に対応するアイコン７１の外枠が、他のアイコン７１の外枠に比べ、太い線で表示される。また、このとき、設定情報表示領域７８には、予約設定「おはよう予約」についての概略的な内容が表示される。これにより、ユーザは、現在選択されている予約設定を容易に認識することができるとともに、その設定の概要を把握することができる。
【００８５】
予約設定画面の下部左側には閉じるキー７９が配置され、下部右側には決定キー８０が配置されている。閉じるキー７９は、予約設定画面での設定変更の操作を反映せずに、予約設定画面を閉じるための操作キーである。決定キー８０は、予約設定画面での設定変更の操作を反映したうえで、予約設定画面を閉じるための操作キーである。なお、この場合、決定キー８０が操作されることにより、予約運転が開始されるようになっている。このようにする理由は、次の通りである。
【００８６】
すなわち、仮に、決定キー８０が操作された際に運転前の各種画面へと遷移するようにした場合、その後、コース内容などに変更が加えられる可能性が生じる。予約設定が行われた状態で、コース内容などに変更が加えられると、設定された終了時刻までに運転を終了することができなくなるおそれがある。そこで、本実施形態では、このような事態、つまり予約設定実行後にコース内容などに変更が加えられて予約した終了時刻までに運転が終了できなくなる事態を防止するため、決定キー８０が操作されると、予約運転が開始されるようにしている。
【００８７】
温水設定キー３１は、運転において用いられる水の温度を設定するための操作キーである。温水設定キー３１に対する操作が行われると、洗濯運転または洗濯乾燥運転の洗い行程において水温を何度まで加熱するかなどの設定を行うための温水設定画面が表示される。例えば、図６に示すコース詳細設定画面において、温水設定キー３１に対する操作が行われると、図１０に示すように、コース詳細設定画面上に重なる形で温水設定画面が表示される。温水設定画面の大きさは、コース詳細設定画面よりも小さくなっており、コース詳細設定画面の一部は表示されている。なお、この場合、コース詳細設定画面に表示されているスタートキー２６の少なくとも一部は、温水設定画面により覆われている。
【００８８】
ただし、この場合、コース詳細設定画面は、影がかけられた状態、つまりグレーアウトの状態となり、スタートキー２６を含む全ての操作キーに対する操作を受け付けない状態となる。つまり、制御装置４は、スタートキー２６が表示されている画面であるコース詳細設定画面上に別の画面である温水設定画面を重ねて表示させる際、スタートキー２６による操作の受付を無効化するようになっている。
【００８９】
温水設定画面には、複数の温水設定（この場合、なし、１５℃、３０℃、４０℃、５０℃、６０℃除菌）のそれぞれに対応するアイコン８１が配置されている。ユーザは、これらのアイコン８１のうち、所望する設定に対応するアイコンを操作することにより、温水設定を所望するものに設定することができる。
【００９０】
温水設定画面には、温水設定に関する情報が表示される設定情報表示領域８２が設けられている。制御装置４は、所定のアイコン８１に対する操作が行われると、その操作されたアイコン８１を強調表示するとともに、その操作されたアイコン８１に対応する温水設定に関する情報を設定情報表示領域８２に表示させるようになっている。
【００９１】
具体的には、「なし」に対応するアイコン８１に対する操作が行われると、図１０に示すように、「なし」に対応するアイコン８１の外枠が、他のアイコン８１の外枠に比べ、太い線で表示される。また、このとき、設定情報表示領域８２には、温水設定「なし」についての概略的な内容が表示される。これにより、ユーザは、現在選択されている温水設定を容易に認識することができるとともに、その設定の概要を把握することができる。
【００９２】
温水設定画面の下部左側には閉じるキー８３が配置され、下部右側には決定キー８４が配置されている。閉じるキー８３は、温水設定画面での設定変更の操作を反映せずに、温水設定画面を閉じるための操作キーである。決定キー８４は、温水設定画面での設定変更の操作を反映したうえで、温水設定画面を閉じるための操作キーである。
【００９３】
照明オンオフキー３２は、洗濯機１の槽内を照らすための照明（例えばＬＥＤ）をオン（点灯）またはオフ（消灯）するための操作キーである。照明オンオフキー３２の操作に応じて照明をオンすることにより、洗濯機１の槽内がＬＥＤの光で照らされ、薄暗い槽内を明るくし、ユーザによる洗濯物（衣類）の出し入れに寄与することができる。
【００９４】
制御装置４は、予約設定キー３０、温水設定キー３１および照明オンオフキー３２による操作に応じて初期設定とは異なる設定が実行されると、その操作された操作キーの表示態様を変更する。なお、通常、３つの操作キーの背景色は、例えば白色となっている。例えば、予約設定キー３０による操作に応じて、予約設定が初期設定である「なし」から「おかえり予約」へと変更されるとともに、その終了時刻が「１９：００」に設定された場合、予約設定キー３０の表示態様が変更される。具体的には、この場合、予約設定キー３０の背景色が変更されるとともに、予約設定キー３０上に終了時刻を表す「１９：００」という表示が加えられる。
【００９５】
また、温水設定キー３１による操作に応じて、温水設定が、初期設定である「なし」から「５０℃」へと変更された場合、温水設定キー３１の表示態様が変更される。具体的には、この場合、温水設定キー３１の背景色が白色から、温水を連想させ得る色（例えば赤色）へと変更されるとともに、温水設定キー３１上に「５０℃」という表示が加えられる。
【００９６】
また、照明オンオフキー３２による操作に応じて、照明の設定が、初期設定である「オフ」から「オン」へと変更された場合、照明オンオフキー３２の表示態様が変更される。具体的には、この場合、照明オンオフキー３２は、その背景色が白色から、照明がオンされたことを連想させ得る色（例えば黄色）へと変更される。このように、制御装置４は、予約設定キー３０および温水設定キー３１による操作に応じて初期設定とは異なる設定が実行されると、その実行された設定の状態（ステータス）を表すように操作キーの表示態様を変更するようになっている。
【００９７】
［７］スタートキーについて
前述した通り、運転前の画面であるトップ画面、コース情報表示画面およびコース詳細設定画面には、いずれもスタートキー２６が表示されている。これら運転前の画面において、スタートキー２６に対する操作が行われると、その時点において選択されている運転種類およびコースでの運転が開始される。運転が開始されると、現在進行中の行程を含む運転における全行程および運転が終了するまでに要する時間である運転残り時間などが含まれた運転中画面が表示される。
【００９８】
以上説明した本実施形態によれば、次のような効果が得られる。
制御装置４は、電源投入後、表示部２０にトップ画面を表示させるようになっている。トップ画面は、設定可能な運転の内容を表示するとともに運転を設定するための画面であり、且つ、設定された運転に対応したコースを表示するとともにコースを設定するための画面である。このようにすれば、ユーザは、運転内容と設定可能なコースを１つの画面で確認するとともにその設定を行うことができるため、画面の切り替え操作を行うことなく、運転およびコースを設定することが可能となる。そのため、本実施形態によれば、ユーザによる運転およびコースの設定に余分な負荷を与えることなく、操作性および利便性の高いユーザインターフェースを実現することができる。つまり、本実施形態によれば、洗濯機１の運転設定に関する視認性および操作性を一層向上させることができるという優れた効果が得られる。
【００９９】
制御装置４は、トップ画面上に、運転を開始するための操作キーであるスタートキー２６を表示させるようになっている。そのため、ユーザは、トップ画面において、前述した運転およびコースの設定を行った後、そのトップ画面から他の画面へと遷移させるための操作を伴うことなく、同じ画面上に設けられたスタートキー２６に対する操作を行うことにより、直ちに運転を開始することができるため、利便性が向上する。
【０１００】
この場合、制御装置４は、操作パネル５の画面の端部、より具体的には画面の下部右端に、運転を開始するためのスタートキー２６を表示させるようになっている。つまり、本実施形態では、画面の右下にスタートキー２６が配置される。一般に、人の視線の流れは、画面の左上から右下へと移行することが知られている。そのため、本実施形態のようにスタートキー２６が画面の右下に配置されることにより、その画面を見るユーザの視線の流れがスムーズに進行し、ユーザの目の流れについて負荷や混乱を招くことが防止される。したがって、ユーザは、各種の運転に関する設定を一通り眺めて確認し、その内容を把握したうえで最後にスタートキー２６を操作することができる。つまり、本実施形態の操作パネル５は、操作性の高い画面レイアウトとなっている。
【０１０１】
タッチパネル式の液晶ディスプレイとは別にスタートキーが設けられた従来の構成では、ユーザは、液晶ディスプレイから視線を離す必要が生じることから、その操作性および視認性が損なわれていた。これに対し、本実施形態によれば、液晶ディスプレイである表示部２０にスタートキー２６が表示（配置）されており、ユーザは、液晶ディスプレイ内で設定状況の把握を含めた一連の運転操作を完結することができるようになっている。
【０１０２】
また、スタートキー２６は、一般的な人の視線の流れに沿った形となるように画面の下部右端に配置されている。そのため、本実施形態によれば、ユーザによる運転設定に余分な負荷を与えることなく、操作性および利便性の高いユーザインターフェースを実現することができる。つまり、本実施形態によれば、洗濯機１の運転設定に関する視認性および操作性を一層向上させることができるという優れた効果が得られる。
【０１０３】
制御装置４は、スタートキー２６を表示する際、常に同じ位置に表示させるようになっている。つまり、制御装置４は、運転前の各種画面（トップ画面、コース選択画面およびコース詳細画面）において、スタートキー２６を共通の位置に表示させるようになっている。また、この場合、スタートキー２６の大きさも共通となっている。このようにすれば、ユーザは、運転前の各種画面のいずれにおいても、スタートキー２６がどこに配置されているのかを容易に理解することが可能となり、その視線を大きく移動させる必要がない。したがって、本実施形態によれば、ユーザの操作に関する理解に係る負荷を軽減するとともに、ユーザに余計な視線移動をさせることなく、所望する設定内容での運転を容易に実行することができる操作性の高いユーザインターフェースを実現することができる。
【０１０４】
液晶ディスプレイとは別にスタートキーが設けられた従来の構成では、スタートキーが独立していることから、ユーザは、現在の設定状態でスタートキーが有効であるか否か、つまり運転を開始できるか否かを容易に把握することができない。これに対し、本実施形態では、制御装置４は、スタートキー２６が表示されている画面上に別の画面（例えばふろ水設定画面、温水設定画面など）を重ねて表示させる際、スタートキー２６による操作の受付を無効化する。このような本実施形態によれば、ユーザは、スタートキー２６による操作が有効であるか否か、つまり運転を開始できるか否かを容易に判断することができ、操作性の高いユーザインターフェースを実現することができる。
【０１０５】
この場合、別の画面の大きさは、スタートキー２６が表示されている画面よりも小さくなっており、スタートキー２６が表示されている画面の一部は、ユーザにより視認可能となっている。ただし、スタートキー２６が表示されている画面は、グレーアウトの状態とされており、これにより、ユーザは、スタートキー２６による操作が無効である、つまり運転を開始することができない、ということを容易に認識することができる。また、このように、スタートキー２６が表示されている画面の一部が視認可能となっていることから、ユーザは、別の画面が重ねて表示された状態でも、その前に表示されていた画面がどのような画面であったのかを把握することができる。
【０１０６】
制御装置４は、トップ画面において所定のコースが選択されて設定されると、そのトップ画面に代えてコース情報表示画面を表示させるようになっている。コース情報表示画面には、設定されたコースの行程内容に関する内容などが表示される。このようにすれば、ユーザは、コース情報表示画面の表示内容に基づいて、設定されたコースの概要と行程内容、つまり自身が選択したコースがどのような構成で行程が設定されているかなどを容易に確認することができる。コース情報表示画面には、全ての行程を表す行程表示が画面の横方向に時系列に並ぶように表示させた行程表示領域３６が含まれている。このようにすれば、ユーザは、行程表示領域３６の表示内容に基づいて、選択しているコースの行程構成を一層容易に理解することができる。
【０１０７】
制御装置４は、コース情報表示画面上に、コースの内容を設定するためのコース詳細設定画面へと遷移させるための操作キーである設定変更キー４３を表示させるようになっている。また、制御装置４は、行程表示領域３６の少なくとも一部をコース詳細設定画面へと遷移させるための操作キーとして機能させるようになっている。このようにすれば、ユーザは、コース情報表示画面においてコースの概要などを確認した結果、そのコースの内容について変更を加えたいと考える場合には、設定変更キー４３または行程表示領域３６を操作することにより、コース詳細設定画面を表示させてコース内容を変更することができる。
【０１０８】
本実施形態では、コース情報表示画面上にも、運転を開始するための操作キーであるスタートキー２６が表示されている。そのため、ユーザは、コース情報表示画面において、自身が選択したコースの概要などを確認した結果、そのコースの内容について変更を加える意図がない場合には、そのコース情報表示画面から他の画面へと遷移させるための操作を伴うことなく、同じ画面上に設けられたスタートキー２６に対する操作を行うことにより、直ちに運転を開始することができるため、利便性が向上する。
【０１０９】
制御装置４は、コース情報表示画面上に、コース情報表示画面を閉じてトップ画面へと戻るための操作キーである戻るキー４２を表示させるようになっている。このようにすれば、ユーザは、コース情報表示画面において、自身が選択したコースの概要などを確認した結果、コースを再選択したいと考えた場合、同じ画面上に設けられた戻るキー４２に対する操作を行うことにより、トップ画面を再度表示させてコースの再選択などを行うことが可能となる。このようにすれば、液晶ディスプレイとは別に戻るキーが設けられた従来の構成に比べ、コースの再選択を行う際における操作性を向上させることができる。
【０１１０】
制御装置４は、ヘッダー部２７に洗濯機１の運転に関わる設定を行うための３つの操作キー（予約設定キー３０、温水設定キー３１および照明オンオフキー３２）が配置される操作キー表示領域２９を設け、それら３つの操作キーを表示する際、常に同じ位置に表示させるようになっている。このようにすれば、ユーザは、運転前の各種画面（トップ画面、コース情報表示画面およびコース詳細設定画面）において、同じ位置に配置された３つの操作キーに対して同じ操作を行うことにより、それら３つの操作キーを用いた各種の設定を行うことが可能となる。
【０１１１】
例えば、ユーザは、トップ画面において所望のコースを選択した後に温水設定を追加で実行したい場合、コース詳細設定画面において所望の行程動作を設定し終えた後に予約設定を実行したい場合など、これらの設定を行うための温水設定キー３１および予約設定キー３０がヘッダー部２７の固定位置に表示されているため、それら操作キーの位置を容易に認識して迅速且つ確実に操作することができる。
【０１１２】
このように、本実施形態では、洗濯機１の運転に関わる設定を行うための３つの操作キーがヘッダー部２７の固定位置に表示され、運転前の各種画面のいずれからもアクセスできるレイアウトとなっており、３つの操作キーを操作する際に画面の切り替えを伴う必要がない。したがって、本実施形態によれば、洗濯機１の運転に関わる設定を行う際における視認性および操作性を向上させることができる。
【０１１３】
制御装置４は、予約設定キー３０、温水設定キー３１および照明オンオフキー３２による操作に応じて初期設定とは異なる設定が実行されると、その操作キーの表示態様を変更するようになっている。このようにすれば、ユーザは、予約設定キー３０、温水設定キー３１および照明オンオフキー３２を操作して各種の設定を行った際、操作キーの表示態様が変更されることによって、自身が行った設定が確実に反映されていることを確認することができる。
【０１１４】
制御装置４は、予約設定キー３０および温水設定キー３１による操作に応じて初期設定とは異なる設定が実行されると、その実行された設定の状態を表すように、具体的には操作キー上に設定されたステータスが付与されるように、操作キーの表示態様を変更するようになっている。このようにすれば、ユーザは、予約設定キー３０および温水設定キー３１を操作して各種の設定を行った際、操作キーの表示態様を確認することによって、自身が行った設定状態（例えば、運転の終了時刻、温水の温度など）を容易に確認することができる。
【０１１５】
操作キー表示領域２９に配置された３つの操作キーのうち、予約設定キー３０および温水設定キー３１は、洗濯機１の運転を実行するうえで重要なものとなる。まず、予約設定キー３０は、ユーザが運転の予約設定（終了時刻の設定）を行うためのものであり、予約設定がなされた場合、その設定内容（終了時刻）の視認性を向上させることが望ましい。そこで、本実施形態では、このような重要な要素に係る予約設定キー３０をヘッダー部２７に固定表示することにより、ユーザが頻繁に視認できるようにしている。
【０１１６】
また、温水設定キー３１は、洗い行程に用いられる水温の設定が可能であり、その水温は洗浄性能に大きく関係する重要な要素である。そこで、本実施形態では、このような重要な要素に係る温水設定キー３１をヘッダー部２７に固定表示することにより、ユーザが頻繁に視認できるようにしている。
【０１１７】
このように、本実施形態では、予約設定キー３０および温水設定キー３１は、運転前の各種画面のいずれにおいても、同じ位置、同じアイコン且つ同じレイアウトにて表示されるようになっている。このようにすれば、ユーザは、洗濯機１の運転において重要な設定である予約設定および温水設定について、その設定を行うための操作キーの位置を容易に視認できるとともに、その設定内容を容易に確認することができる。
【０１１８】
本実施形態では、運転の種類ごとに互いに異なる色が対応付けられており、制御装置４は、所定の運転種類アイコンに対する操作が行われて、その操作された運転種類アイコンに対応した運転が選択されると、その時点で表示されている画面上および以降に表示される画面上の任意の領域について、その選択された運転に対応付けられた色と同系色の背景表示とするようになっている。
【０１１９】
このようにすれば、ユーザは、各種の画面において、任意の領域の背景色を確認することで、選択されている運転の種類を容易に判断することができる。なお、この場合、運転の種類ごとに、各運転のイメージに合致するような色を対応付けるようにするとよい。このようにすれば、ユーザは、任意の領域の背景色に基づいて運転の種類を一層容易に判断することが可能となる。このように、本実施形態によれば、運転設定に関する視認性を一層向上させることができる。
【０１２０】
制御装置４は、運転が実行されてから洗濯機１への電源が再投入された後に表示させるトップ画面では、その実行された運転（前回の運転）に対応した運転種類アイコンが選択された状態とする。このようにすれば、ユーザは、前回の運転と同様の種類の運転を実行させたい場合、運転の種類を選択するための操作を行うことなく、スタートキー２６を操作することにより、直ちに運転を開始することができるため、利便性が向上する。
【０１２１】
また、制御装置４は、運転が実行されてから洗濯機１への電源が再投入された後に表示させるトップ画面では、洗濯運転、洗濯乾燥運転および乾燥運転のそれぞれについて、前回の運転におけるコースが選択されている状態とする。このようにすれば、ユーザは、所定の運転について、前回のコースと同様のコースでもって実行させたい場合、コースを選択するための操作を行うことなく、スタートキー２６を操作することにより、直ちに運転を開始することができるため、利便性が向上する。
【０１２２】
制御装置４は、運転に対応したコースの内容を設定するためのコース詳細設定画面上に、全ての行程を表す行程表示、行程の条件を表す行程条件表示、各行程の条件を変更するための操作キーである行程条件変更キーなどを表示させるようになっている。行程ごとに専用の画面が用意されている従来の構成では、ユーザは、各行程の詳細内容の設定を変更する際には画面の切り替えを行うための操作を頻繁に行わなければならない。これに対し、本実施形態によれば、ユーザは、１つの画面（コース詳細設定画面）上で、全ての行程に関する内容確認および設定の変更などを行うことができる。したがって、本実施形態によれば、コースの内容を設定する際における操作性を向上させることができる。
【０１２３】
本実施形態では、コース詳細設定画面上にも、運転を開始するための操作キーであるスタートキー２６が表示されている。そのため、ユーザは、コース詳細設定画面において、コースの内容を設定した際、そのコース詳細設定画面から他の画面へと遷移させるための操作を伴うことなく、同じ画面上に設けられたスタートキー２６に対する操作を行うことにより、直ちに運転を開始することができるため、利便性が向上する。
【０１２４】
（第２実施形態）
以下、第２実施形態について図１１を参照して説明する。
第２実施形態では、表示部２０への表示に関する制御の内容が第１実施形態と異なっている。本実施形態では、制御装置４は、トップ画面において、所定のコースが設定されると、つまり所定のコースアイコン３３に対して２回以上連続してタッチ操作がされると、トップ画面に表示された内容の一部に代えて設定されたコースの行程内容に関する情報を表示させるようになっている。
【０１２５】
この場合、制御装置４は、所定のコースアイコン３３に対して２回以上連続してタッチ操作がされると、他のコースアイコン３３の一部、具体的には操作されたコースアイコン３３と同じ列に並ぶ他のコースアイコン３３を、上側に縮ませるように縮小して表示させる。制御装置４は、このような縮小表示により確保されたスペースに、操作されたコースアイコン３３に対応するコースの行程内容に関する情報を表示させる。
【０１２６】
例えば、図１１に示すように、標準コースに対応するコースアイコン３３に対して２回以上連続してタッチ操作がされた場合、スピードコース、おやすみコース、つけおきコースおよび少量６０分コースに対応する各コースアイコン３３が縮小して表示される。この場合、縮小表示されたコースアイコン３３には、そのコース名を表す文字だけが表示される。
【０１２７】
また、この場合、標準コースに対応するコースアイコン３３が、画面の左端に表示されるように、各コースアイコン３３の配置が変更されている。そして、その標準コースに対応するコースアイコン３３の右下端に連なる形で、行程表示領域９１が設けられる。行程表示領域９１には、第１実施形態の行程表示領域３６と同様、全ての行程を表す行程表示が、画面の横方向に時系列に並ぶように表示される。
【０１２８】
具体的には、図１１に示すように、行程表示領域９１には、行程表示領域３６に表示されていた各アイコンと同等のアイコン、つまり洗いアイコン９２、すすぎアイコン９３、脱水アイコン９４および乾燥アイコン９５が、左からこの順で、つまり時系列に並ぶように配置されている。また、行程表示領域９１には、行程表示領域３６と同様、ふろ水アイコン９６も表示されている。
【０１２９】
さらに、この場合、コース一覧表示領域３４の下部右端には、戻るキー９７が表示されている。戻るキー９７は、コースの行程内容に関する情報を表示させた際、トップ画面の表示内容を元に戻すための操作キーである。したがって、戻るキー９７に対する操作が行われると、トップ画面の表示が、図１１に示すような行程内容に関する情報を表示させるための態様から、図３に示すような全てのコースアイコン３３を均等に表示する態様、つまり当初の表示態様へと戻る。
【０１３０】
以上説明した本実施形態によれば、トップ画面において所定のコースが設定されると、トップ画面から画面が遷移することなく、その設定されたコースの行程内容に関する内容などが表示される。このような本実施形態によっても、第１実施形態と同様の効果が得られる。さらに、本実施形態によれば、ユーザは、各コースアイコン３３と同じ画面に表示される行程表示領域９１の表示内容に基づいて、選択しているコースの行程内容を確認しながら、コースを選択して設定することができる。また、本実施形態によれば、ユーザは、選択するコースを変更した場合、行程表示領域９１の表示内容の変化に基づいて、変更前後のコースの行程構成の差異を容易に認識することができる。したがって、本実施形態によれば、コース設定に関する利便性が一層向上するという効果が得られる。
【０１３１】
（第３実施形態）
以下、第３実施形態について図１２を参照して説明する。
第３実施形態では、表示部２０への表示に関する制御の内容が第１実施形態と異なっている。本実施形態では、制御装置４は、トップ画面において、所定のコースが設定されると、つまり所定のコースアイコン３３に対して２回以上連続してタッチ操作がされると、トップ画面に表示された内容の一部に代えて設定されたコースの行程内容に関する情報を表示させるようになっている。
【０１３２】
この場合、制御装置４は、所定のコースアイコン３３に対して２回以上連続してタッチ操作がされると、他のコースアイコン３３の一部、具体的には操作されたコースアイコン３３と別の列に並ぶ他のコースアイコン３３上に重なるように、または、他のコースアイコン３３の一部を非表示とし、それにより確保された領域に、操作されたコースアイコン３３に対応するコースの行程内容に関する情報を表示させる。
【０１３３】
例えば、図１２に示すように、標準コースに対応するコースアイコン３３に対して２回以上連続してタッチ操作がされた場合、念入りコース、メモリーコース、毛布コース、おしゃれ着コースおよびとっても柔らかコースに対応する各コースアイコン３３を非表示とし、それにより確保された領域に、行程表示領域１０１が設けられる。なお、この場合、コース一覧表示領域３４の右端に送りキー１０８が表示されている。ユーザは、その送りキー１０８を操作することにより、非表示とされた各コースアイコン３３を表示させるとともに選択することができる。この場合も、標準コースに対応するコースアイコン３３が、画面の左端に表示されるように、各コースアイコン３３の配置が変更されている。行程表示領域１０１には、第１実施形態の行程表示領域３６と同様、全ての行程を表す行程表示が、画面の横方向に時系列に並ぶように表示される。
【０１３４】
具体的には、図１２に示すように、行程表示領域１０１には、行程表示領域３６に表示されていた各アイコンと同等のアイコン、つまり洗いアイコン１０２、すすぎアイコン１０３、脱水アイコン１０４および乾燥アイコン１０５が、左からこの順で、つまり時系列に並ぶように配置されている。また、行程表示領域９１には、行程表示領域３６と同様、ふろ水アイコン１０６も表示されている。なお、標準コースに対応するコースアイコン３３と行程表示領域１０１との間には、それらが対応付けられていることを示すマーク１０７が表示されている。コース一覧表示領域３４の下部右端には、第２実施形態と同様の戻るキー９７が表示されている。
【０１３５】
以上説明した本実施形態によれば、第２実施形態と同様、トップ画面において所定のコースが設定されると、トップ画面から画面が遷移することなく、その設定されたコースの行程内容に関する内容などが表示される。したがって、本実施形態によっても、第２実施形態と同様の効果が得られる。
【０１３６】
（第４実施形態）
以下、第４実施形態について図１３を参照して説明する。
第４実施形態では、表示部２０への表示に関する制御の内容が第１実施形態と異なっている。本実施形態では、制御装置４は、トップ画面におけるヘッダー部２７の操作キー表示領域２９の左端に、詳細確認キー１１１を追加して表示させるようになっている。詳細確認キー１１１は、設定されたコースの行程内容に関する情報を表示させるための操作キーである。
【０１３７】
この場合、制御装置４は、所定のコースアイコン３３に対して２度以上連続して操作が行われたとしても、そのコースアイコン３３に対応するコースの行程内容に関する情報を表示させることはなく、詳細確認キー１１１が操作されると、その時点において選択されているコースアイコン３３に対応するコースの行程内容に関する情報を表示させるようになっている。なお、コースの行程内容に関する情報の表示方法としては、第１実施形態のようにトップ画面からコース情報表示画面へと画面遷移させる方法でもよいし、第２および第３実施形態のようにトップ画面に表示された内容の一部に代えてコースの行程内容に関する情報を表示させる方法でもよい。
【０１３８】
以上説明した本実施形態によっても、第１実施形態などと同様、制御装置４は、トップ画面において所定のコースが設定されると、そのトップ画面に代えてコース情報表示画面を表示させるようになっているため、第１実施形態などと同様の効果が得られる。さらに、本実施形態によれば、次のような効果も得られる。すなわち、第１実施形態のように、所定のコースアイコン３３に対して２度以上連続して操作が行われるとコース情報表示画面を表示させる構成では、コースアイコン３３へのタッチ操作の具合によっては（例えば１回タッチ操作したつもりが２回タッチ操作してしまう、など）、ユーザの意図に反してコース情報表示画面へと画面遷移が行われてしまうおそれがある。これに対し、本実施形態のように、詳細確認キー１１１が操作された場合にだけコース情報表示画面を表示させる構成とすれば、ユーザの意図に反する画面遷移が行われることを防止できる。
【０１３９】
（その他の実施形態）
なお、本発明は上記し且つ図面に記載した実施形態に限定されるものではなく、その要旨を逸脱しない範囲で任意に変形、組み合わせ、あるいは拡張することができる。
上記各実施形態で示した数値などは例示であり、それに限定されるものではない。
本発明は、ドラム式洗濯乾燥機である洗濯機１に限らず、例えば縦軸型の洗濯機や洗濯乾燥機、乾燥機など、衣類に対する所定の処理（洗濯、乾燥、脱臭など）を行うための運転を実行する衣類処理装置全般に適用することができる。
【０１４０】
操作表示器としては、洗濯機１に設けられた操作パネル５に限らずともよく、例えば洗濯機１を利用するユーザが所持するスマートフォン、タブレット端末などの携帯端末の操作表示部であってもよい。この場合、洗濯機１は、携帯端末との間で、通信などを介して、表示のためのデータ、表示された操作キーに対する操作結果を表すデータなどをやり取りすることができる構成とすればよい。
フッター部２１およびヘッダー部２７は、画面の端部に設けられていればよく、例えば、画面の左端部や右端部などに設けられていてもよい。
【０１４１】
トップ画面などにおいて、スタートキー２６は、任意の箇所に表示されていればよい。例えば、スタートキー２６は、画面の下部右端に配置されていてもよい。また、制御装置４は、スタートキー２６を画面の左側の端部に表示させる態様と、図３に示したトップ画面のように、スタートキー２６を画面の右側の端部に表示させる態様とを切り替え可能な構成としてもよい。
【０１４２】
一般に、右利きの人であれば、画面の右側の端部に設けられた操作キーを操作し易く、左利きの人であれば、画面の左側に設けられた操作キーを操作し易い。上記構成によれば、ユーザは、自身の利き手に応じて、スタートキー２６の配置を操作しやすい位置に変更することができるため、スタートキー２６の操作性を一層向上させることができる。
【０１４３】
トップ画面のコース一覧表示領域３４には、設定された運転に対応したコースの少なくとも一部が表示されていればよく、例えば、その時点において選択されている運転に対応した一部のコースのそれぞれに対応したコースアイコン３３を表示するようにしてもよい。ただし、その場合、画面をスクロールさせるための操作キーをコース一覧表示領域３４の近傍などに設け、その操作キーの操作に応じて、他のコースに対応するコースアイコンを表示させるようにすればよい。また、コース一覧表示領域３４に表示するコースアイコン３３の配列は、図３に示したような配列に限らずともよく、例えば各コースアイコン３３が環状に並ぶ配列など、適宜変更することができる。
【０１４４】
コース情報表示画面において、概要表示領域３５と行程表示領域３６との配置を入れ替えてもよい。
コース詳細設定画面において、行程表示、行程条件および行程条件変更キーの配置、表示態様などは適宜変更することができる。コース詳細設定画面において、各行程の動作種類（強め、弱め、仕上がり具合など）を設定可能としてもよい。このようにすれば、ユーザは、自身の好みに一層合致した内容で所望する運転を行うことができる。
【０１４５】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４６】
図面中、１は洗濯機（衣類処理装置）、４は制御装置（制御部）、５は操作パネル（操作表示器）、２０は表示部、２６はスタートキー（操作キー）、３７は洗いアイコン（行程表示）、３８はすすぎアイコン（行程表示）、３９は脱水アイコン（行程表示）、４０は乾燥アイコン（行程表示）、１１１は詳細確認キー（操作キー）を示す。
【図１】
2020065635.tif 000003
【図２】
2020065635.tif 000004
【図３】
2020065635.tif 000005
【図４】
2020065635.tif 000006
【図５】
2020065635.tif 000007
【図６】
2020065635.tif 000008
【図７】
2020065635.tif 000009
【図８】
2020065635.tif 000010
【図９】
2020065635.tif 000011
【図１０】
2020065635.tif 000012
【図１１】
2020065635.tif 000013
【図１２】
2020065635.tif 000014
【図１３】
2020065635.tif 000015